(57)【要約】【課題】患者を乗せたプレート台を安定して移送でき、患者の検査や治療のために照射される放射線等に影響を与えない患者移送装置を提供する。【解決手段】患者を乗せるプレート台１０に、プレート台１０を含む部材の載置部材の載置面方向に圧縮空気を噴出してプレート台１０を浮上するエアベアリング１４を設けた患者移送装置であり、エアベアリング１４は、供給した圧縮空気で膨出したとき前記載置面方向に膨出する底面部に複数の圧縮空気の噴射孔１６ａを穿設した噴射孔穿設領域を形成した樹脂フィルム製の袋状部１６Ａ〜１６Ｄと、袋状部１６Ａ〜１６Ｄの各々よりも幅狭に形成し、袋状部１６Ａ〜１６Ｄの各々に供給する圧縮空気で膨出する樹脂フィルム製の空気供給流路１８ａ〜１８ｃとを備え、袋状部１６Ａ〜１６Ｄ及び空気供給流路１８ａ〜１８ｂを供給した圧縮空気で膨出したとき前記噴射孔穿設領域が空気供給流路１８ａ〜１８ｂの下端よりも下方となる。【選択図】図２
2020178923.tif 000002
【特許請求の範囲】
【請求項１】
患者を上面側に乗せるプレート台の下面側に、前記プレート台を含む部材が載置される載置部材の載置面の方向に圧縮空気を噴出して前記プレート台を浮上するエアベアリングが設けられ、
前記エアベアリングは、供給された前記圧縮空気で膨出されたとき、前記載置面方向に膨出する底面部に前記圧縮空気を噴出する複数の噴射孔が穿設された噴射孔穿設領域が形成された少なくとも１個の樹脂フィルム製の袋状部と、前記袋状部よりも幅狭に形成され、前記袋状部に供給する前記圧縮空気で膨出する樹脂フィルム製の空気供給流路とを具備し、
前記袋状部及び前記空気供給流路が供給された前記圧縮空気で膨出したとき、前記噴射孔穿設領域が前記空気供給流路の下端よりも下方となっていることを特徴とする患者移送装置。
【請求項２】
前記プレート台の下面側に、複数個の前記袋状部と、前記袋状部の各々に前記圧縮空気を供給する前記空気供給流路が形成されていることを特徴とする請求項１に記載の患者移送装置。
【請求項３】
前記空気供給流路は、前記袋状部に供給する前記圧縮空気により筒状に膨出することを特徴とする請求項１又は請求項２に記載の患者移送装置。
【請求項４】
前記プレート台の下面側にカバー板が設置され、前記袋状部及び前記空気供給流路が前記プレート台と前記カバー板との間に設けられており、
前記カバー板には、前記袋状部の前記噴射孔穿設領域に対応して開口部が開口されていることを特徴とする請求項１〜３のいずれかに記載の患者移送装置。
【請求項５】
前記カバー板の前記開口部が、前記袋状部に前記圧縮空気が供給されたとき、前記噴射孔穿設領域が前記開口部から前記載置面方向に膨出するように、前記開口部の面積が前記穿設領域よりも大きいことを特徴とする請求項４に記載の患者移送装置。
【請求項６】
前記プレート台に代えて、樹脂フィルムで形成された袋状気密部内に発泡樹脂ビーズが充填されたビーズバッグが用いられることを特徴とする請求項１〜５のいずれかに記載の患者移送装置。
【請求項７】
前記ビーズバッグが、前記袋状気密部内の空気を吸排して形状を変更する吸引式ビーズバッグであることを特徴とする請求項６に記載の患者移送装置。
【請求項８】
前記ビーズバッグ、前記袋状部及び前記空気供給流路が一体に形成されていることを特徴とする請求項６又は請求項７に記載の患者移送装置。
【請求項９】
患者を搭載して移動するプレート台の下面側に設けられ、前記プレート台を含む部材が載置される載置部材の載置面の方向に圧縮空気を噴出して前記プレートを浮上するエアベアリングが、供給された前記圧縮空気で膨出されたとき、前記載置面方向に膨出される底面部に前記圧縮空気を噴出する複数の噴射孔が穿設された噴射孔穿設領域が形成された少なくとも１個の樹脂フィルム製の袋状部と、前記袋状部よりも幅狭に形成され、前記袋状部に供給する前記圧縮空気で膨出する樹脂フィルム製の空気供給流路とを具備し、
前記袋状部及び前記空気供給流路が供給された前記圧縮空気で膨出したとき、前記噴射孔が穿設された噴射孔穿設領域が前記空気供給流路の下端よりも下方となっていることを特徴とするエアベアリング。
【請求項１０】
前記袋状部が複数個形成されており、前記袋状部の各々に前記圧縮空気を供給する前記空気供給流路が形成されていることを特徴とする請求項９に記載のエアベアリング。
【請求項１１】
前記空気供給流路は、前記袋状部に供給する前記圧縮空気により筒状に膨出することを特徴とする請求項９又は請求項１０に記載のエアベアリング。
【発明の詳細な説明】
【技術分野】
【０００１】
本発明は、患者の移送を簡単化できる患者移送装置及びエアベアリングに関するものである。
【背景技術】
【０００２】
現在、ベッド上やストレッチャー上の患者を診察台や検査機器の検査台上に移送する際、患者を乗せたプレート台を数人が力を合わせて持ち上げて移送している。しかし、患者の移送を人手に頼っている場合、人への負担は大きく、人手不足のときには患者の移送は困難となる。
【０００３】
患者の移送を簡単にすべく、プレート台の昇降等の移送に機械力を使うことが考えられるが、プレート台を含む装置が複雑化・大型化する。また、Ｘ線等の放射線を用いた検査や治療を、患者を搭載したプレート台ごと検査機器や治療装置の台上に移送して行うことが要請されている。このような要請に対して、プレート台に移送のための機械装置を設けることは放射線の照射に対して影響を与えるおそれがあり好ましくない。
【０００４】
この点、下記特許文献１には、上面側に患者が乗るプレート台の下面側に、図１３（ａ）に示すエアベアリング１００を装着することが記載されている。エアベアリング１００は、織物に熱可塑性樹脂をコーティングした二枚のフィルムの内側を所定間隔で線状に溶着した溶着ライン１０２を形成して複数の細長い筒状部１０４が形成されている。筒状部１０４の各々には、その底面側に供給口１０６から供給された圧縮空気を噴出する多数の噴射孔が穿設されている。
【０００５】
患者が乗ったプレート台の下面側に装着されたエアベアリング１００によれば、各筒状部１０４に供給された圧縮空気は、噴射孔からベッドやストレッチャー等の載置部材の載置面に対して直角方向に噴射されて、プレート台をその載置面から浮上し、エアベアリング１００の下面側と載置部材の載置面との間に空気層を形成する。このような空気層の形成により、プレート台の移送を妨げている載置面との摩擦力を軽減でき、患者が搭載されたプレート台を少人数で簡単に移送できる。また、エアベアリング１００は樹脂製であり、患者に照射する放射線等に対して何等の影響も与えない。
【０００６】
しかしながら、本発明者等の検討によれば、エアベアリング１００は、各筒状部１０４の底面側の全面に亘って圧縮空気の噴射孔が形成されており、全噴射孔から圧縮空気を噴射することは困難であり、圧縮空気が噴射しない噴射孔が発生してプレート台１０８の浮上力が不十分となるおそれがある。全噴射孔から圧縮空気を噴射すべく、圧縮空気の圧力を高圧にすることは、溶着ライン１０２が剥離するおそれがある。
【０００７】
また、例え、全噴射孔から圧縮空気が噴射されたとしても、図１３（ｂ）に示すように、筒状部１０４の底面側の全面に亘って穿設された全噴射孔のうち、プレート台１０８の浮上力に寄与しないものがある。すなわち、プレート台１０８の浮上力は、プレート台１０８が載置されたベッドやストレッチャー等の載置部材の載置面１１０に沿っている筒状部１０４の底面部に穿設された噴射孔から噴射された圧縮空気によるものである。一方、載置面１１０から離れた筒状部１０４の周面部に穿設された噴射孔から噴射される圧縮空気は、プレート台１０８の浮上力に殆ど寄与せず無駄であり、騒音の原因ともなる。
【０００８】
更に、載置面１１０に沿う筒状部１０４の底面部の噴射孔数は、筒状部１０４内及び／又は筒状部１０４間でバラツキが生じ、プレート台１０８に対する浮上力にバラツキが発生してプレート台１０８に傾斜が生じる等の不安定化するおそれがある。このプレート台１０８の不安定化を解消すべく、図１３（ｂ）に示す外側の二本の筒状部１０４を内側の二本の筒状部１０４よりも幅広に形成することが考えられるが、幅の異なる筒状部１０４が混在することは、幅の異なる筒状部１０４の噴射孔からの圧縮空気の噴出程度が不揃いとなって却ってプレート台１０８を不安定化するおそれがある。また、外側の二本の筒状部１０４に噴射孔を穿設しないことも考えられるが、外側の二本の筒状部１０４の底面が載置面１１０と接触してプレート台１０８の移送ができ難くなるおそれがある。
【先行技術文献】
【特許文献】
【０００９】
【特許文献１】米国特許第１０１６６１６０号明細書
【発明の概要】
【発明が解決しようとする課題】
【００１０】
本発明は前記の課題を解決し患者を乗せたプレート台を安定して移送でき、患者の検査や治療のために照射される放射線等に影響を与えることのない患者移送装置及びエアベアリングを提供することを目的とする。
【課題を解決するための手段】
【００１１】
前記の目的を達成するためになされた本発明に係る患者移送装置は、患者を上面側に乗せるプレート台の下面側に、前記プレート台を含む部材が載置される載置部材の載置面の方向に圧縮空気を噴出して前記プレート台を浮上するエアベアリングが設けられ、前記エアベアリングは、供給された前記圧縮空気で膨出されたとき、前記載置面方向に膨出する底面部に前記圧縮空気を噴出する複数の噴射孔が穿設された噴射孔穿設領域が形成された少なくとも１個の樹脂フィルム製の袋状部と、前記袋状部よりも幅狭に形成され、前記袋状部に供給する前記圧縮空気で膨出する樹脂フィルム製の空気供給流路とを具備し、前記袋状部及び前記空気供給流路が供給された前記圧縮空気で膨出したとき、前記噴射孔穿設領域が前記空気供給流路の下端よりも下方となっていることを特徴とするものである。
【００１２】
前記プレート台の下面側に、複数個の前記袋状部と、前記袋状部の各々に前記圧縮空気を供給する前記空気供給流路が形成されていることにより、患者を載せたプレート台を更に安定して移送できる。
【００１３】
前記空気供給流路は、前記袋状部に供給する前記圧縮空気により筒状に膨出することにより、空気供給流路の強度を向上できる。
【００１４】
前記プレート台の下面側にカバー板が設置され、前記袋状部及び前記空気供給流路が前記プレート台と前記カバー板との間に設けられており、前記カバー板には、前記袋状部の前記噴射孔穿設領域に対応して開口部が開口されていることにより、空気供給流路の過度の膨出を防止でき、且つ膨出した袋状部の底面部に形成された噴射孔からカバー板の開口部を介してベッドやストレッチャー等の載置部材の載置面に対して垂直方向に圧縮空気を噴出してプレート台を浮上できる。
【００１５】
前記カバー板の前記開口部が、前記袋状部に前記圧縮空気が供給されたとき、前記噴射孔穿設領域が前記開口部から前記載置面方向に膨出するように、前記開口部の面積が前記穿設領域よりも大きいことにより、噴射孔穿設領域の全体がカバー板の開口部から膨出し、各噴射孔から確実に載置面に対して垂直方向に圧縮空気を噴射できる。
【００１６】
前記プレート台に代えて、樹脂フィルムで形成された袋状気密部内に発泡樹脂ビーズが充填されたビーズバッグが用いられることにより、ビーズバッグは放射線を透過することができ、ビーズバッグの上面側に乗せた患者に対してビーズバッグの下面側から放射線を照射できる。
【００１７】
前記ビーズバッグが、前記袋状気密部内の空気を吸排して形状を変更する吸引式ビーズバッグであることにより、患者の体形に合わせてビーズバッグの形状を変更できる。
【００１８】
前記ビーズバッグ、前記袋状部及び前記空気供給流路が一体に形成されていることにより、これらの取り扱い性を向上できる。
【００１９】
前記の目的を達成するためになされた本発明に係るエアベアリングは、患者を搭載して移動するプレート台の下面側に設けられ、前記プレート台を含む部材が載置される載置部材の載置面の方向に圧縮空気を噴出して前記プレートを浮上するものであって、供給された前記圧縮空気で膨出されたとき、前記載置面方向に膨出される底面部に前記圧縮空気を噴出する複数の噴射孔が穿設された噴射孔穿設領域が形成された少なくとも１個の樹脂フィルム製の袋状部と、前記袋状部よりも幅狭に形成され、前記袋状部に供給する前記圧縮空気で膨出する樹脂フィルム製の空気供給流路とを具備し、前記袋状部及び前記空気供給流路が供給された前記圧縮空気で膨出したとき、前記噴射孔が穿設された噴射孔穿設領域が前記空気供給流路の下端よりも下方となっていることを特徴とするものである。
【００２０】
前記袋状部が複数個形成されており、前記袋状部の各々に前記圧縮空気を供給する前記空気供給流路が形成されていることにより、プレート台を更に安定して移送できる。
【００２１】
前記空気供給流路は、前記袋状部に供給する前記圧縮空気により筒状に膨出することにより、空気供給流路の強度を向上できる。
【発明の効果】
【００２２】
本発明に係る患者移送装置によれば、エアベアリングを構成する袋状部及び空気供給流路が供給された圧縮空気で膨出したとき、プレート台が載置されているベッドやストレッチャー等の載置部材の載置面方向に膨出される袋状部の底面部に形成された噴射孔穿設領域の噴射孔から圧縮空気が噴射され、プレート台の浮上力として作用する。この際、膨出した袋状部の噴射孔穿設領域は、膨出した空気供給流路の下端よりも下方となっており、圧縮空気の噴射孔が穿設さていない空気供給流路がプレート台の載置面に接触することなく、患者が乗せられたプレート台の移送をスムーズに行うことができる。また、圧縮空気の噴射孔が形成された袋状部に圧縮空気を供給する空気供給流路は、袋状部よりも幅狭に形成され且つ噴射孔が形成されていないことから、空気供給流路の耐圧性を容易に向上でき、袋状部に形成されている噴射孔の各々から圧縮空気が十分に噴出されるように空気供給流路を介して袋状部内に十分な圧縮空気を供給できる。更に、袋状部及び空気供給流路が共に放射線透過性の樹脂フィルム製であり、放射線照射の際に、エアベアリングによる影響は無視できる。
【図面の簡単な説明】
【００２３】
【図１】本発明を適用する患者移送装置の一例を示す斜視図である。
【図２】本発明を適用する患者移送装置の組み立て図であって、プレート台の下面上に底面側を上に向けたエアベアリング及びカバー板を順次積層していることを示す。
【図３】本発明を構成するエアベアリングの底面図である。
【図４】図３に示すエアベアリングに圧縮空気を供給したきの状態を説明する部分断面斜視図である。
【図５】プレート台の下面側にエアベアリングとカバー板とが装着された状態を示す斜視図である。
【図６】プレート台とカバー板との間に挟まれて装着されたエアベアリングに圧縮空気を供給したときの状態を説明する部分断面斜視図である。
【図７】プレート台の下面側にエアベアリングが装着された患者移送装置による移送を説明する断面図である。
【図８】本発明に適用できる他のエアベアリングを示す正面図である。
【図９】本発明に適用できる他の患者移送装置の断面図である。
【図１０】本発明に適用できる他の患者移送装置の断面図である。
【図１１】本発明を適用できる他の患者移送装置の組み立て図であって、プレート台の下面上に底面側を上に向けたエアベアリング及びカバー板を順次積層していることを示す。
【図１２】本発明を適用できる他の患者移送装置の縦断面斜視図である。
【図１３】従来のエアベアリングの底面図及び従来の患者移送装置の断面図である。
【発明を実施するための形態】
【００２４】
以下、本発明を施例するための形態を詳細に説明するが、本発明の範囲はこれらの形態に限定されるものではない。
【００２５】
図１は、本発明を適用する患者移送装置の一例を示す斜視図である。図１に示すように上面１０ａ側に患者Ｍが仰臥する長方形状のプレート台１０の下面１０ｂ側に、エアベアリングがカバー板１２で覆われて装着されている。図１に示す患者移送装置は、図２に示すように、プレート台１０の下面１０ｂ上に底面側を上に向けたエアベアリング１４及びカバー板１２が順次積層されている。このエアベアリング１４は、長方形状であって、プレート台１０の下面１０ｂとカバー板１２との間に挟まれている。カバー板１２には、患者Ｍの胸部及び脚部の各々に対応する箇所に長方形の開口部１２ａが開口されている。
【００２６】
エアベアリング１４は、図３に示すように二枚の樹脂フィルム１４ａ，１４ｂから構成される長方形のものであって、その所定箇所が接合されて長方形の袋状部１６Ａ〜１６Ｄと袋状部１６Ａ〜１６Ｄの各々に圧縮空気を供給する空気供給流路１８ａ〜１８ｃとが形成されている。袋状部１６Ａ〜１６Ｄは、同一の大きさであって、長方形のエアベアリング１４がプレート台１０に装着されたとき、患者Ｍの胸部及び脚部の各々に対応する箇所に形成されており、袋状部１６Ａ〜１６Ｄを形成する樹脂フィルム１４ａに多数の圧縮空気の噴射孔１６ａが穿設されている噴射孔穿設領域が形成されている。袋状部１６Ａ〜１６Ｄの各々は、圧縮空気入口２１を残して、各辺を形成する接合部２０で樹脂フィルム１４ａ，１４ｂが接合されて形成されている。また、空気供給流路１８ａ〜１８ｃの各々は、その長軸に沿った両端部を形成する接合部２０で樹脂フィルム１４ａ，１４ｂが接合されて形成されている。このようにして形成された空気供給流路１８ａ〜１８ｃの各々は、袋状部１６Ａ〜１６Ｄの各々よりも幅狭であって、噴射孔１６ａは形成されていない。空気供給流路１８ａの一端に装着された供給口２２から供給された圧縮空気は、図３の矢印で示すようにエアベアリング１４の中央部に長軸方向に沿って形成された空気供給流路１８ａを通過し、空気供給流路１８ａの他端に中途部が接続する空気供給流路１８ｂ，１８ｂに分流される。分流された圧縮空気は、空気供給流路１８ｂの各端に中途部が接続する空気供給流路１８ｃ，１８ｃに分流されて袋状部１６Ａ〜１６Ｄの各々に各圧縮空気入口２１から供給される。
【００２７】
樹脂フィルム１４ａ，１４ｂの各々は、ナイロン等の化学繊維から成る布帛生地に、ウレタン樹脂や塩化ビニル樹脂等の樹脂から成る薄膜をコーティングしたもの、或いは合成皮革を用いることができ、その厚さを５０μｍ〜１ｍｍとすることが好ましい。このような樹脂フィルム１４ａ，１４ｂから構成されるエアベアリング１４は、供給口２２から圧縮空気が供給されると、空気供給流路１８ａ〜１８ｃ及び袋状部１６Ａ〜１６Ｄは膨出し、圧縮空気の供給が停止されると、薄く平坦な形状に復帰する。
【００２８】
図３に示すエアベアリング１４の樹脂フィルム１４ａ側を下方に向けて供給口２２から圧縮空気を供給したきの図２のＡ−Ａ面に相当する部分断面斜視図を図４に示す。供給口２２から空気供給流路１８ａに供給された圧縮空気は、空気供給流路１８ａを形成する樹脂フィルム１４ａ，１４ｂの間を通過し、袋状部１６Ａ，１６Ｂの各圧縮空気入口２１から袋状部１６Ａ，１６Ｂを形成する樹脂フィルム１４ａ，１４ｂの間に供給され、袋状部１６Ａ，１６Ｂの底面部に成された噴射孔穿設領域の多数の噴射孔１６ａから噴射される。このように圧縮空気が空気供給流路１８ａ及び袋状部１６Ａ，１６Ｂに供給されたとき、図４に示すように空気供給流路１８ａは筒状に膨出する。袋状部１６Ａ，１６Ｂも膨出し、袋状部１６Ａ，１６Ｂの噴射孔穿設領域は、筒状に膨出した空気供給流路１８ａの下端よりも下方に位置する。尚、図４からも明らかなように、空気供給流路１８ａと袋状部１６Ａ，１６Ｂとは樹脂フィルム１４ａ，１４ｂを接合する接合部２０で区切られている。
【００２９】
図３に示すエアベアリング１４は、図２に示すようにプレート台１０の下面１０ｂとカバー板１２との間に挟まれる。エアベアリング１４とプレート台１０の下面１０ｂとは、エアベアリング１４の図３に示す接合部２０で囲まれた四角形領域１５，１５及びＴ字状領域１７が、粘着層がスポンジ材等の弾性部材を挟んで形成された厚地の両面テープ（以下、単に厚地両面テープと称する）を介して接合される。更に、エアベアリング１４とカバー板１２とも、エアベアリング１４の図３に示す接合部２０で囲まれた四角形領域１５，１５とＴ字状領域１７が厚地両面テープを介して接合される。この際、エアベアリング１４とカバー板１２とを、カバー板１２に接合されたエアベアリング１４の噴射孔１６ａが穿設された穿設領域の各々が、カバー板１２の開口部１２ａに臨むように、位置調整する。また、プレート台１０の下面１０ｂとカバー板１２とは、両者の周縁部が厚地両面テープで接合される。
【００３０】
プレート台１０の下面１０ｂにエアベアリング１４とカバー板１２とが装着された状態を図５に示す。図５は、プレート台１０の下面１０ｂ側からの斜視図である。図５に示すように、カバー板１２の各開口部１２ａに、エアベアリング１４の噴射孔穿設領域が臨んでいる。図５に示す状態のエアベアリング１４に供給口２２から圧縮空気を供給したときの状態を図６に示す。図６（ａ）は、図５のＸ−Ｘ面での部分断面斜視図であって、エアベアリング１４は図２に示すＡ−Ａ面に相当する部分である。プレート台１０の下面１０ｂとカバー板１２とは、各々の縁部に沿って貼着された厚地両面テープ２４ａ，２４ｂで接合されている。空気供給流路１８ａを介して圧縮空気が供給された袋状部１６Ａ，１６Ｂの各々は、袋状部１６Ａ，１６Ｂを形成する樹脂フィルム１４ａがカバー板１２の開口部１２ａ方向に膨出し、樹脂フィルム１４ｂがプレート台１０の下面１０ｂ側方向に膨出する。これら膨出のうち、樹脂フィルム１４ｂのプレート台１０の下面１０ｂ側方向への膨出は、プレート台１０の下面１０ｂに当接して制限されるが、樹脂フィルム１４ａのうち、カバー板１２の開口部１２ａに臨む噴射孔穿設領域の膨出は制限されず、噴射孔穿設領域はカバー板１２よりも下方に膨出して、多数の噴射孔１６ａから圧縮空気を噴射する。一方、空気供給流路１８ａは筒状に膨出し、プレート台１０の下面１０ｂ及びカバー板１２に当接して、カバー板１２よりも下方に膨出することはない。
【００３１】
図６（ｂ）は、図５のＹ−Ｙ面での部分断面斜視図であって、エアベアリング１４は図２に示すＢ−Ｂ面に相当する部分であって、袋状部１６Ｃ，１６Ｄに圧縮空気を供給する空気供給流路１８ｃ，１８ｃのみが形成されている。プレート台１０、エアベアリング１４及びカバー板１２のうち、プレート台１０の下面１０ｂとカバー板１２とは、各々の縁部に沿って貼着された厚地両面テープ２４ａ，２４ｂで接合され、エアベアリング１４とカバー板１２、エアベアリング１４とプレート台１０とは、エアベアリング１４のＴ字状領域１７（図３参照）の幅広部分に貼着された厚地両面テープ２４ｃ，２４ｄで接合されている。圧縮空気が供給された空気供給流路１８ｃ，１８ｃは筒状に膨出し、プレート台１０の下面１０ｂ及びカバー板１２に当接する。
【００３２】
図６（ｃ）は、図５のＺ−Ｚ面での部分断面斜視図であって、エアベアリング１４は図２に示すＣ−Ｃ面に相当する部分であって、袋状部１６Ｃ，１６Ｄのみが形成されている。プレート台１０、エアベアリング１４及びカバー板１２のうち、プレート台１０の下面１０ｂとカバー板１２とは、各々の縁部に沿って貼着された厚地両面テープ２４ａ，２４ｂで接合され、エアベアリング１４とカバー板１２、エアベアリング１４とプレート台１０は、エアベアリング１４のＴ字状領域１７（図３参照）の幅狭部分に貼着された厚地両面テープ２４ｅ，２４ｆで接合されている。空気供給流路１８Ｃ，１８Ｃから圧縮空気が供給された袋状部１６Ｃ，１６Ｄの各々は、袋状部１６Ｃ，１６Ｄを形成する樹脂フィルム１４ａがカバー板１２の開口部１２ａ方向に膨出し、樹脂フィルム１４ｂがプレート台１０の下面１０ｂ方向に膨出する。これら膨出のうち、樹脂フィルム１４ｂのプレート台１０の下面１０ｂ方向への膨出は、プレート台１０の下面１０ｂに当接して制限されるが、樹脂フィルム１４ａのうち、カバー板１２の開口部１２ａに臨む噴射孔穿設領域の膨出は制限されず、噴射孔穿設領域はカバー板１２よりも下方に膨出して、多数の噴射孔１６ａから圧縮空気を噴射する。
【００３３】
プレート台１０の下面１０ｂ側にエアベアリング１４が装着された患者移送装置による移送を、図２に示すＡ−Ａ面での断面図である図７を用いて説明する。図７に示すように患者Ｍを乗せたプレート台１０、エアベアリング１４及びカバー板１２が載置部材２６の載置面に載置された状態で、供給口２２から圧縮空気がエアベアリング１４内に供給されると、圧縮空気は空気供給流路１８ａを介して袋状部１６Ａ，１６Ｂに供給され、袋状部１６Ａ，１６Ｂを膨出する。特に、袋状部１６Ａ，１６Ｂの底面部を形成する樹脂フィルム１４ａの各噴射穿設領域は、カバー板１２の開口部１２ａ，１２ａから載置部材２６の載置面方向に膨出し、噴射孔１６ａの各々から圧縮空気がベッドやストレッチャー等の載置部材２６の載置面に対して直角方向に噴射され、プレート台１０を浮上する。噴射孔１６ａの各々から噴射された圧縮空気は、図７に示す部分拡大図に示すように樹脂フィルム１４ａの噴射孔１６ａの穿設領域と載置部材２６の載置面との間を流れて空気層を形成する。また、圧縮空気が供給された空気供給流路１８ａも筒状に膨出し、その下端がカバー板１２に当接する。このようにカバー板１２の開口部１２ａから下方に膨出した袋状部１６Ａ，１６Ｂの噴射孔穿設領域は、膨出した空気供給流路１８ａの下端よりも下方となることから、空気供給流路１８ａが載置面と当接して患者Ｍを乗せたプレート台１０の移送を妨げることなく、患者Ｍを乗せたプレート台１０を小人数でスムーズに移送できる。尚、圧縮空気が供給された空気供給流路１８ｂ，１８ｃ及び袋状部１６Ｃ，１６Ｄにおいても、空気供給路１６ａ及び袋状部１８Ａ，１９Ｂと同様である。
【００３４】
図２〜図７に示すエアベアリング１４は、二枚の樹脂フィルム１４ａ，１４ｂから成る袋状部１６Ａ〜１６Ｄ及び空気供給流路１８ａ〜１８ｃが一体に形成されているが、図８（ａ）に示すように袋状部１６Ａ，１６Ｂと空気供給流路１８ａとが切り離され、四角形領域１５，１５及びＴ字状領域１７が切り抜かれたものであってもよい。また、図８（ｂ）に示すように直列に形成された袋状部１６Ａ，１６Ｂが空気供給流路１８ｄ，１８ｄで連結されている帯状のエアベアリング１４が並列に設けられていてもよい。帯状のエアベアリング１４は、袋状部１６Ａに直接圧縮空気が供給され、袋状部１６Ａから空気供給流路１８ａを介して袋状部１６Ｂに圧縮空気が供給される。
【００３５】
図２〜図８に示す二枚の樹脂フィルム１４ａ，１４ｂで形成されていたが、図９に示すように一枚の樹脂フィルム１４ａでエアベアリング１４を形成してもよい。図９に示すエアベアリング１４は、樹脂フィルム１４ａの所定箇所をプレート台１０の下面１０ｂに、厚地両面テープや面ファスナー、或いは接着や溶着によって接合して空気供給流路１８ａ及び底面に噴射孔１６ａが穿設されている袋状部１６Ａ，１６Ｂを形成した。図９に示すエアベアリング１４においても、空気供給流路１８ａは袋状部１６Ａ，１６Ｂよりも幅狭に形成されており、圧縮空気が供給されて膨出した袋状部１６Ａ，１６Ｂの噴射孔１６ａの噴射孔穿設領域は、供給された圧縮空気で膨出した空気供給流路１８ａの下端よりも下方に位置する。
【００３６】
図２〜図９では、患者Ｍをプレート台１０に乗せていたが、図１０に示すようにビーズバッグ３０に患者Ｍを乗せることができる。ビーズバッグ３０は、放射線透過性の樹脂フィルム３２で形成された袋状気密部内に多数の発泡樹脂ビーズ３４が充填されたものである。ビーズバッグ３０の上面側の患者Ｍを乗せ、その下面側に樹脂フィルム１４ａで形成されたエアベアリング１４が接合されている。このエアベアリング１４は、図９に示すものと同一であるので、詳細な説明を省略する。ビーズバッグ３０にエアベアリング１４を装着するには、樹脂フィルム１４ａの所定箇所を厚地両面テープや面ファスナー、或いは接着や溶着によってビーズバッグ３０に接合できる。特に、ビーズバッグ３０とエアベアリング１４とを接着や溶着により一体化することが、両者の取り扱い性を向上でき好ましい。このようなビーズバッグ３０及びエアベアリング１４は放射線を透過でき、ビーズバッグ３０の上面側に乗せた患者Ｍに対してビーズバッグ３０及びエアベアリング１４の下面側から放射線を照射できる。更に、ビーズバッグ３０を、袋状気密部内の空気を吸排して形状を変更する吸引式ビーズバッグとすることにより、患者Ｍの体形に合わせてビーズバッグ３０の形状を変更でき好ましい。
【００３７】
これまで説明してきたエアベアリング１４は、複数個の袋状部１６Ａ〜１６Ｄが設けられているが、図１１に示すエアベアリング５０ように１個の袋状部５２が設けられているものであってもよい。図１１は、本発明を適用する他の患者移送装置であって、底面を下向にしたプレート台４０の下面４０ｂ上に、底面側を上に向けたエアベアリング５０及びカバー板６０が順次積層されている。図１１に示すエアベアリング５０は、上面４０ａに患者Ｍが乗るプレート台４０の下面４０ｂとカバー板６０との間に挟まれて装着される。エアベアリング５０は、エアベアリング１４と同様に、二枚の樹脂フィルム５０ａ，５０ｂから構成され、その外周縁が接合されて長方形の袋状部５２と、袋状部５２の空気入口５７に一端が接続された空気供給流路５４とが形成されている。袋状部５２の樹脂フィルム１４ａに複数の圧縮空気の噴射孔５２ａが穿設された噴射孔穿設領域が形成されている。この袋状部５２の圧縮空気入口５７に一端が接続された袋状部５２よりも幅狭の空気供給流路５４の他端に圧縮空気を供給する供給口５６が設けられている。
【００３８】
このようなエアベアリング５０は、プレート台４０の下面４０ｂ側とカバー板６０に挟まれて装着される。このカバー板６０には、エアベアリング５０の袋状部５２に形成された噴射孔穿設領域と対応するように開口部６２ａが開口されている。エアベアリング５０がプレート台４０の下面４０ｂにカバー板６０との間に挟まれて装着された状態を図１２に示す。図１２は、プレート台４０とカバー板６０との間に挟まれたエアベアリング５０の状態を示す縦断面斜視図である。図１２に示すエアベアリング５０は、供給口５６から圧縮空気を供給した状態である。プレート台４０とカバー板６０とは、その周縁部が厚地両面テープ６４で接合されており、カバー板６０の開口部６２ａに対応しているエアベアリング５０の袋状部５２の噴射孔穿設領域は、開口部６２ａから膨出し、噴射孔５２ａの各々から圧縮空気が噴射されている。この際、空気供給流路５４も筒状に膨出するが、プレート台４０とカバー板６０とに膨出が制限されるから、袋状部５２の噴射孔穿設領域は、筒状に膨出した空気供給流路５４の下端よりも下方に位置する。尚、エアベアリング５０の袋状部５２の噴射孔穿設領域は、プレート台４０の面積の１／１．２５〜１／１５とすることが、プレート台４０を安定とすることができ、移送をスムーズに行うことができる。
【産業上の利用可能性】
【００３９】
本発明に係る患者移送装置によれば、患者を少人数で安全に簡単に移送でき、病院等での患者の移送の省力化を図ることができる。
【符号の説明】
【００４０】
１０，４０，１０８：プレート台、１０ａ，４０ａ：プレート台の上面、１０ｂ，４０ｂ：プレート台の下面、１２，６０：カバー板、１２ａ，６２ａ：開口部、１４，５０，１００：エアベアリング、１４ａ，１４ｂ，３２，５０ａ，５０ｂ：樹脂フィルム、１５：四角形領域、１６Ａ，１６Ｂ，１６Ｃ，１６Ｄ，５２：袋状部、１６ａ，５２ａ：噴射孔、１７：Ｔ字状領域、１８ａ，１８ｂ，１８ｃ，１８ｄ，５４：空気供給流路、２０：接合部、２１，５７：圧縮空気入口、２２，５６，１０６：圧縮空気の供給口、２４ａ，２４ｂ，２４ｃ，２４ｄ，２４ｆ，６４：厚地両面テープ、２６：載置部材、３０：ビーズバッグ、３４：発泡樹脂ビーズ、１０２：溶着ライン、１０４：筒状部、１１０：載置面、Ｍ：患者
【図１】
2020178923.tif 000003
【図２】
2020178923.tif 000004
【図３】
2020178923.tif 000005
【図４】
2020178923.tif 000006
【図５】
2020178923.tif 000007
【図６】
2020178923.tif 000008
【図７】
2020178923.tif 000009
【図８】
2020178923.tif 000010
【図９】
2020178923.tif 000011
【図１０】
2020178923.tif 000012
【図１１】
2020178923.tif 000013
【図１２】
2020178923.tif 000014
【図１３】
2020178923.tif 000015